(57)【要約】      （修正有）【課題】ワイヤーハーネスを織布に容易に保持させることができ、バックルから車体側へのワイヤーハーネスの取り回しを適切に行うことができるバックル装置及びその製造方法を提供する。【解決手段】アンカープレートとバックルを繋ぐ織布３０を備え、バックル内の回路基板に繋がるワイヤーハーネスは、帯状部材７０を介して織布に支持されて、織布３０の幅方向側方に沿って配索される。帯状部材７０は、片側面の少なくとも一部に粘着面７０ａを有し、ワイヤーハーネス６０の周囲に巻き付けられた巻き付け部７１と、巻き付け部７１から連続して粘着面７０ａによって帯状部材同士を貼り合わせた貼り合せ部７２と、貼り合せ部７２を構成する帯状部材７０の一端部７０ｅから巻き付け部７１と反対側に延出し粘着面７０ａの一部が表面に露出する延出部７３とを得、延出部７３が粘着面７０ａによって織布３０に貼り付けられ、少なくとも延出部７３が織布に縫製される。【選択図】図２
2020124955.tif 000002
【特許請求の範囲】
【請求項１】
車体側に取付け可能なアンカープレートと、
シートベルトのタングが着脱自在に装着可能なバックルと、
前記アンカープレート及び前記バックルに形成された各孔部内を挿通して折り返され、少なくとも３重に重ね合わされた重ね合せ部分を備える織布と、
前記バックルに設けられる回路基板と、
前記回路基板に接続され、少なくとも電気信号を車体側との間で伝達するワイヤーハーネスと、
を備えるシートベルトのバックル装置であって、
前記ワイヤーハーネスは、帯状部材を介して前記織布に支持され、該織布の幅方向側方に沿うように配索され、
前記帯状部材は、片側面の少なくとも一部に粘着面を有し、前記ワイヤーハーネスの周囲に巻き付けられた巻き付け部と、該巻き付け部から連続して前記粘着面によって前記帯状部材同士を貼り合わせた貼り合せ部と、前記貼り合せ部を構成する前記帯状部材の一端部から前記巻き付け部と反対側に延出し、前記粘着面の一部が表面に露出する延出部と、を備え、前記延出部が前記粘着面によって前記織布に貼り付けられ、前記貼り合せ部及び前記延出部が前記織布に縫製により取り付けられている、シートベルトのバックル装置。
【請求項２】
前記重ね合せ部分は、内側に折り込まれる折り込み部分と、該折り込み部分から折り返されて連続する裏面部分と、該裏面部分から折り返されて連続する表面部分と、を有し、
前記帯状部材の前記貼り合わせ部及び前記延出部は、前記織布の重ね合せ部分の前記折り込み部分と前記表面部分との間、または前記折り込み部分と前記裏面部分との間に挿入された状態で縫製されている、請求項１に記載のシートベルトのバックル装置。
【請求項３】
前記重ね合せ部分は、内側に折り込まれる折り込み部分と、該折り込み部分から折り返されて連続する裏面部分と、該裏面部分から折り返されて連続する表面部分と、を有し、
前記帯状部材の前記貼り合わせ部及び前記延出部は、前記織布の重ね合せ部分の前記表面部分又は前記裏面部分の外表面上に配置された状態で縫製されている、請求項１に記載のシートベルトのバックル装置。
【請求項４】
前記縫製は、前記帯状部材の前記貼り合わせ部及び前記延出部を前記織布に取り付けると共に、前記織布の重ね合せ部分を互いに結合する、請求項１〜３の何れか一項に記載のシートベルトのバックル装置。
【請求項５】
前記織布には、前記ワイヤーハーネスを該織布の幅方向一端側から他端側に通すハーネス挿通穴が設けられている、請求項１〜４の何れか一項に記載のシートベルトのバックル装置。
【請求項６】
前記帯状部材は、織物からなる、請求項１〜５の何れか一項に記載のシートベルトのバックル装置。
【請求項７】
車体側に取付け可能なアンカープレートと、
シートベルトのタングが着脱自在に装着可能なバックルと、
前記アンカープレート及び前記バックルに形成された各孔部内を挿通して折り返され、少なくとも３重に重ね合わされた重ね合せ部分を備える織布と、
前記バックルに設けられる回路基板と、
前記回路基板に接続され、少なくとも電気信号を車体側との間で伝達するワイヤーハーネスと、
を備えるシートベルトのバックル装置の製造方法であって、
片側面の少なくとも一部に粘着面を有する帯状部材を用いる工程と、
前記ワイヤーハーネスに対して前記帯状部材を巻き付けると共に、前記帯状部材の一端部と他端部の位置をずらして前記粘着面の一部を露出させた状態で前記帯状部材同士を貼り合わせる工程と、
前記粘着面を前記織布の所定位置に貼り付けて前記帯状部材を前記織布に仮止めする工程と、
前記帯状部材を前記織布に縫製する工程と、
有し、前記ワイヤーハーネスは、前記帯状部材を介して前記織布に支持され、該織布の幅方向側方に沿うように配索される、シートベルトのバックル装置の製造方法。
【請求項８】
前記縫製工程は、前記帯状部材の前記貼り合わせ部及び前記延出部を前記織布に取り付けると共に、前記織布の重ね合せ部分を互いに結合する、請求項７に記載のシートベルトのバックル装置の製造方法。
【発明の詳細な説明】
【技術分野】
【０００１】
本発明は、シートベルトのバックル装置及びその製造方法に関し、特に、バックルから車体側に配索されるワイヤーハーネスを備えるシートベルトのバックル装置及びその製造方法に関する。
【背景技術】
【０００２】
従来、車両用のシートベルトの着脱を検出する機能を有するシートベルトのバックル装置として、例えば、特許文献１に記載の車両用シートベルト検知装置が知られている。この車両用シートベルト検知装置は、シー トベルトバックルのバックルスイッチに接続可能なコネクタ部を備え、このコネクタ部の内部にバックルスイッチから検出信号を受信してタングの着脱を判断する制御回路と、この制御回路からの判断結果に基づく結果信号を、車内ネッワークを介して接続されたメータ制御部に送信する通信回路とを備える。また、制御回路や通信回路は、車内ネットワークの配線に接続されたワイヤーハーネスと電気的に接続されている。
【先行技術文献】
【特許文献】
【０００３】
【特許文献１】特開２０１１−８８５８０号公報
【発明の概要】
【発明が解決しようとする課題】
【０００４】
ところで、特許文献１に記載の車両用シートベルト検知装置においては、ワイヤーハーネスは、バックル側のコネクタ部から車体側まで配索される必要があるが、ワイヤーハーネスの保護や適切な取り回しについては記載されていない。特に、後部座席に設けられるバックル装置においては、乗員の乗降時にワイヤーハーネスが擦れたり、ワイヤーハーネスが引っ掛かったりする可能性があるなどの課題がある。
【０００５】
本発明は、上記事情を鑑みて為されたものであり、その目的は、ワイヤーハーネスを織布に容易に保持させることができ、バックルから車体側へのワイヤーハーネスの取り回しを適切に行うことができるシートベルトのバックル装置及びその製造方法を提供することにある。
【課題を解決するための手段】
【０００６】
本発明の上記目的は、以下の構成によって達成される。
（１）  車体側に取付け可能なアンカープレートと、
シートベルトのタングが着脱自在に装着可能なバックルと、
前記アンカープレート及び前記バックルに形成された各孔部内を挿通して折り返され、少なくとも３重に重ね合わされた重ね合せ部分を備える織布と、
前記バックルに設けられる回路基板と、
前記回路基板に接続され、少なくとも電気信号を車体側との間で伝達するワイヤーハーネスと、
を備えるシートベルトのバックル装置であって、
前記ワイヤーハーネスは、帯状部材を介して前記織布に支持され、該織布の幅方向側方に沿うように配索され、
前記帯状部材は、片側面の少なくとも一部に粘着面を有し、前記ワイヤーハーネスの周囲に巻き付けられた巻き付け部と、該巻き付け部から連続して前記粘着面によって前記帯状部材同士を貼り合わせた貼り合せ部と、前記貼り合せ部を構成する前記帯状部材の一端部から前記巻き付け部と反対側に延出し、前記粘着面の一部が表面に露出する延出部と、を備え、前記延出部が前記粘着面によって前記織布に貼り付けられ、前記貼り合せ部及び前記延出部が前記織布に縫製により取り付けられている、シートベルトのバックル装置。
（２）  前記重ね合せ部分は、内側に折り込まれる折り込み部分と、該折り込み部分から折り返されて連続する裏面部分と、該裏面部分から折り返されて連続する表面部分と、を有し、
前記帯状部材の前記貼り合わせ部及び前記延出部は、前記織布の重ね合せ部分の前記折り込み部分と前記表面部分との間、または前記折り込み部分と前記裏面部分との間に挿入された状態で縫製されている、（１）に記載のシートベルトのバックル装置。
（３）  前記重ね合せ部分は、内側に折り込まれる折り込み部分と、該折り込み部分から折り返されて連続する裏面部分と、該裏面部分から折り返されて連続する表面部分と、を有し、
前記帯状部材の前記貼り合わせ部及び前記延出部は、前記織布の重ね合せ部分の前記表面部分又は前記裏面部分の外表面上に配置された状態で縫製されている、（１）に記載のシートベルトのバックル装置。
（４）  前記縫製は、前記帯状部材の前記貼り合わせ部及び前記延出部を前記織布に取り付けると共に、前記織布の重ね合せ部分を互いに結合する、（１）〜（３）の何れか１つに記載のシートベルトのバックル装置。
（５）  前記織布には、前記ワイヤーハーネスを該織布の幅方向一端側から他端側に通すハーネス挿通穴が設けられている、（１）〜（４）の何れか１つに記載のシートベルトのバックル装置。
（６）  前記帯状部材は、織物からなる、（１）〜（５）の何れか１つに記載のシートベルトのバックル装置。
（７）  車体側に取付け可能なアンカープレートと、
シートベルトのタングが着脱自在に装着可能なバックルと、
前記アンカープレート及び前記バックルに形成された各孔部内を挿通して折り返され、少なくとも３重に重ね合わされた重ね合せ部分を備える織布と、
前記バックルに設けられる回路基板と、
前記回路基板に接続され、少なくとも電気信号を車体側との間で伝達するワイヤーハーネスと、
を備えるシートベルトのバックル装置の製造方法であって、
片側面の少なくとも一部に粘着面を有する帯状部材を用いる工程と、
前記ワイヤーハーネスに対して前記帯状部材を巻き付けると共に、前記帯状部材の一端部と他端部の位置をずらして前記粘着面の一部を露出させた状態で前記帯状部材同士を貼り合わせる工程と、
前記粘着面を前記織布の所定位置に貼り付けて前記帯状部材を前記織布に仮止めする工程と、
前記帯状部材を前記織布に縫製する工程と、
有し、前記ワイヤーハーネスは、前記帯状部材を介して前記織布に支持され、該織布の幅方向側方に沿うように配索される、シートベルトのバックル装置の製造方法。
（８）  前記縫製工程は、前記帯状部材の前記貼り合わせ部及び前記延出部を前記織布に取り付けると共に、前記織布の重ね合せ部分を互いに結合する、（７）に記載のシートベルトのバックル装置の製造方法。
【発明の効果】
【０００７】
本発明のシートベルトのバックル装置によれば、ワイヤーハーネスは、帯状部材を介して織布に支持され、該織布の幅方向側方に沿うように配索され、帯状部材が、片側面の少なくとも一部に粘着面を有し、ワイヤーハーネスの周囲に巻き付けられた巻き付け部と、該巻き付け部から連続して粘着面によって帯状部材同士を貼り合わせた貼り合せ部と、貼り合せ部を構成する帯状部材の一端部から巻き付け部と反対側に延出し、粘着面の一部が表面に露出する延出部と、を備え、延出部が粘着面によって織布に貼り付けられ、貼り合せ部及び延出部が織布に縫製により取り付けられている。これにより、ワイヤーハーネスを織布に容易に保持させることができると共にバックルから車体側へのワイヤーハーネスの取り回しを適切に行うことができる。
【０００８】
本発明のシートベルトのバックル装置の製造方法によれば、片側面の少なくとも一部に粘着面を有する帯状部材を用いる工程と、ワイヤーハーネスに対して帯状部材を巻き付けると共に、帯状部材の一端部と他端部の位置をずらして粘着面の一部を露出させた状態で帯状部材同士を貼り合わせる工程と、粘着面を織布の所定位置に貼り付けて帯状部材を織布に仮止めする工程と、帯状部材を織布に縫製する工程と、有し、ワイヤーハーネスは、帯状部材を介して織布に支持され、該織布の幅方向側方に沿うように配索される。したがって、帯状部材の仮止め工程によって縫製作業を行い易くでき、ワイヤーハーネスを織布に容易に保持させることができると共にバックルから車体側へのワイヤーハーネスの取り回しを適切に行うことができる。
【図面の簡単な説明】
【０００９】
【図１】（ａ）は、本発明の第１実施形態のシートベルトのバックル装置の平面図であり、（ｂ）はワイヤーハーネス及び帯状部材を（ａ）のＩ−Ｉ線に沿った位置で切断した側面図であり、（ｃ）は、（ｂ）のＩ´部拡大図である。
【図２】図１（ａ）のＩＩ−ＩＩ線に沿った位置の断面を模式的に示す拡大断面図である。
【図３】図１に示すシートベルトのバックル装置の織布を折り曲げる前の状態を示す平面図である。
【図４】図１に示すシートベルトのバックル装置の製造工程の一部を示し、（ａ）は帯状部材の平面図、（ｂ）は帯状部材をワイヤーハーネスに巻き付けた状態を示す斜視図、（ｃ）は帯状部材を織布に貼り付けた状態を示す平面図である。
【図５】バックル装置の製造過程の変形例を示す図である。
【図６】（ａ）は、第１実施形態の変形例を示す側面図であり、（ｂ）は、（ａ）のＶＩ部拡大図である。
【図７】（ａ）は、本発明の第２実施形態のシートベルトのバックル装置の平面図であり、（ｂ）はワイヤーハーネス及び帯状部材を（ａ）のＶＩＩ−ＶＩＩ線の位置で切断した側面図であり、（ｃ）は、（ｂ）のＶＩＩ´拡大図である。
【図８】本発明の変形例を示す平面図である。
【発明を実施するための形態】
【００１０】
以下、本発明の各実施形態に係るシートベルトのバックル装置及びその製造方法について図面を参照しながら詳細に説明する。
【００１１】
（第１実施形態）
以下、本発明の第１実施形態について、図１〜図４を参照して説明する。
図１に示すように、第１実施形態のシートベルトのバックル装置１０は、車体側に取付け可能なアンカープレート１１と、シートベルトのタング１が着脱可能なバックル２０と、アンカープレート１１とバックル２０とを連結する帯状の織布３０と、バックル２０内に設けられる回路基板５０と、回路基板５０に接続され、少なくとも電気信号を車体側との間で伝達するワイヤーハーネス６０と、ワイヤーハーネス６０を織布３０に支持させる帯状部材７０と、を有する。
【００１２】
アンカープレート１１は、締結孔１２内にボルト（図示せず）を挿入して車体側の床面等とボルト締結される平面部１３と、この平面部１３から所定の角度で折り曲げられ、中央に孔部１４が形成された折り曲げ部１５とを有する。
【００１３】
バックル２０は、一端側（図中右側）にタング挿入部２１を有するとともに、他端側（図中左側）に、一対の樹脂カバー２２，２３と、該樹脂カバー２２，２３に幅方向に掛け渡された金属板部２５との間に形成される孔部２６を有する。
【００１４】
織布３０は、アンカープレート１１及びバックル２０に形成された各孔部１４，２６内に挿通して折り返され、３重に重ね合わされた部分にて縫製糸４０を用いて縫製することで互いに結合されている。
【００１５】
織布３０は、図３にも示すように、所定の長さにカットされた幅一定のウエビングである。そして、折り曲げて重ね合わせた際に内側に折り込まれる折り込み部分３１と、折り込み部分３１の一端部でバックル２０の孔部２６にて折り返されるバックル側折り返し部分３２と、バックル側折り返し部分３２から連続して、折り込み部分３１の裏面側に配置される裏面部分３５と、この裏面部分３５の一端部でアンカープレート１１の孔部１４にて折り返されるプレート側折り返し部分３４と、このプレート側折り返し部分３４を介して連続する表面部分３３と、を有する。すなわち、織布３０は、アンカープレート１１及びバックル２０に形成された各孔部１４，２６内を挿通して表面部分３３と裏面部分３５によって折り込み部分３１を挟み込むように３重に重ね合わされる。そして、重ね合された織布３０の長手方向の略中間部分を縫製することで、重ね合わせ部分である、表面部分３３、折り込み部分３１、及び裏面部分３５が互いに結合され、また、アンカープレート１１とバックル２０とを連結する。
【００１６】
また、織布３０は、アンカープレート１１及びバックル２０の各孔部１４，２６において、幅方向の両縁部３２ａ，３４ａが幅方向中間部に向けて内側に折り畳まれている。また、織布３０同士が接触する面、具体的に、折り返し部分３２，３４の両縁部３２ａ，３４ａや、表面部分３３の端部３３ａと折り込み部分３１が接触する部分等は、接着等によって接合されている。
【００１７】
図１（ａ）に示すように、ワイヤーハーネス６０は、帯状部材７０を介して織布３０に支持され、該織布３０の幅方向側方に沿うように配索されている。また、ワイヤーハーネス６０は、バックル２０から延出した後、織布３０の折り込み部分３１と裏面部分３５の間に形成されたハーネス挿通穴３０ｈ（図１（ｂ）参照）を通過して、織布３０の幅方向の一端側（図中下側）から他端側（図中上側）へ横断するように配策されている。
【００１８】
なお、ハーネス挿通穴３０ｈは、バックル２０の孔部２６に織布３０を通した状態において、裏面部分３５と折り込み部分３１との間に形成された幅方向のすき間によって形成されている。
【００１９】
ワイヤーハーネス６０を保持する帯状部材７０は、織物からなり、織物の素材としては、特に制限するものではないが、例えばポリエチレンテレフタレートを素材とする合成樹脂の織物として構成することができる。このポリエチレンテレフタレートの織物の場合、引張強度を２７５Ｎ／ｃｍ程度にできると共に、金属面に対する粘着面７０ａの粘着力についても、５Ｎ／ｃｍと大きくできる。したがって、帯状部材７０が不織布からなる場合に比べて、引張強度が高く剛性を確保することができ、且つ粘着性が高い。
【００２０】
帯状部材７０は、本実施形態においては、図２に模式的に示すように、ワイヤーハーネス６０に巻き付けられた巻き付け部７１と、この巻き付け部７１から連続して粘着面７０ａによって帯状部材７０同士を貼り合わせた貼り合せ部７２と、貼り合せ部７２を構成する帯状部材７０の一端部７０ｅから巻き付け部７１と反対側に延出して、粘着面７０ａの一部が表面に露出する延出部７３と、を備える。
【００２１】
なお、本実施形態では、図４（ａ）に示すように、帯状部材７０は、片側面において、長手方向の全体に亘って、粘着面７０ａが形成されている。粘着面７０ａは、帯状部材７０の製造の容易性や、巻き付け部７１によるワイヤーハーネス６０の保持性の観点から、帯状部材７０の長手方向の全体に亘って形成することが好ましいが、延出部７３を構成する他端部７０ｔから、巻き付け部７１を越えない側の貼り合せ部７２を構成する部分までに形成されてもよい。
なお、粘着面７０ａは、図４で図示されていない剥離紙によって予め覆われていてもよい。
【００２２】
いずれにおいても、図４（ｂ）に示すように、延出部７３を構成する帯状部材７０の他端部７０ｔが、一端部７０ｅから延出する形で、一端部７０ｅと他端部７０ｔをずらして、帯状部材７０をワイヤーハーネス６０の周囲に巻き付け、該ワイヤーハーネス６０を保持する。
【００２３】
次に、図４（ｃ）に示すように、粘着面７０ａを織布３０の折り込み部分３１の所定の位置に接触させ、粘着面７０ａの粘着力によって、延出部７３を織布３０に貼り付けて帯状部材７０を仮止めする。なお、この仮止めを行う織布３０は、以下に説明する折り込み部分３１がバックル２０の孔部２６に挿通される前でもよいし、挿通された後でもよい。
【００２４】
そして、織布３０を折り返して、織布３０の表面部分３３をアンカープレート１１の孔部１４に通すと共に折り込み部分３１をバックル２０の孔部２６に通す。この挿通は、織布３０の各折り返し部分３２，３４の位置までを両孔部１４，２６に挿通する。
【００２５】
この挿通に際しては、各折り返し部分３２，３４ における幅方向の両縁部３２ａ，３４ａ（図３参照）が幅方向中間部に向けて内側に折り畳んだ状態のまま行われる。その後、折り込み部分３１の上側に表面部分３３を重ね合せる（図１（ｂ）参照）ことで、表面部分３３と、折り込み部分３１と裏面部分３５とが３重に重ね合わされる。
【００２６】
これにより、帯状部材７０が仮止めされた折り込み部分３１は、裏面部分３５と表面部分３３との間に挟み込まれるので、帯状部材７０の貼り合せ部７２及び延出部７３は、図２に示すように、織布３０の折り込み部分３１と裏面部分３５との間に挟まれた状態となる。また、ワイヤーハーネス６０の一端部は、折り込み部分３１と裏面部分３５との間のハーネス挿通穴３０ｈを通るように配策される。
【００２７】
その後、貼り合せ部７２及び延出部７３が織布３０の折り込み部分３１と裏面部分３５との間に挟まれた状態で、縫製糸４０による縫製により、織布３０に取り付けられる。すなわち、ここでの縫製は、帯状部材７０の貼り合せ部７２及び延出部７３を織布３０に取り付けると共に、織布３０の重ね合せ部分を互いに結合する。
なお、図２においては、表面部分３３、折り込み部分３１、帯状部材７０及び裏面部分３５は便宜的に上下に離れて図示されているが、実際には隣り合う部分は互いに密着している。
【００２８】
また、図２に示す構成では、帯状部材７０は、貼り合せ部７２及び延出部７３が織布３０の折り込み部分３１と裏面部分３５との間に挟まれた構成であるが、例えば、折り込み部分３１と表面部分３３との間に挟まれた構成でもよい。
【００２９】
さらに、ワイヤーハーネス６０に帯状部材６０を巻き付ける工程と、帯状部材６０を織布３０に貼り付ける工程が、別の製造ラインで行われるような場合には、延出部７３に露出した粘着面７０ａを保護するため、図５に示すように、粘着面７０ａを覆う剥離紙８０が用いられてもよい。
【００３０】
以上説明したように、本実施形態のシートベルトのバックル装置１０によれば、ワイヤーハーネス６０は、帯状部材７０を介して織布３０に支持され、該織布３０の幅方向側方に沿うように配索され、帯状部材７０は、片側面の少なくとも一部に粘着面７０ａを有し、ワイヤーハーネス６０の周囲に巻き付けられた巻き付け部７１と、該巻き付け部７１から連続して粘着面７０ａによって帯状部材同士を貼り合わせた貼り合せ部７２と、貼り合せ部７２を構成する帯状部材７０の一端部７０ｅから巻き付け部７１と反対側に延出し、粘着面７０ａの一部が表面に露出する延出部７３と、を備え、延出部７３が粘着面７０ａによって織布３０に貼り付けられ、貼り合せ部７２及び延出部７３が織布３０に縫製により取り付けられている。これにより、ワイヤーハーネス６０を織布３０に容易に保持させることができると共にバックル２０から車体側へのワイヤーハーネス６０の取り回しを適切に行うことがでるシートベルトのバックル装置１０を提供することができる。
【００３１】
また、本実施形態のシートベルトのバックル装置１０によれば、帯状部材７０の貼り合せ部７２及び延出部７３は、織布３０の重ね合せ部分の折り込み部分３１と表面部分３３との間、または折り込み部分３１と裏面部分３５との間に挿入された状態で縫製されている。これにより、帯状部材７０が織布３０に段差なく、且つ、強固に保持される。
【００３２】
また、本実施形態のシートベルトのバックル装置１０によれば、縫製は、帯状部材７０の貼り合せ部７２及び延出部７３を織布３０に取り付けると共に、織布３０の重ね合せ部分を互いに結合する。これにより、縫製を別途行うことなく、帯状部材７０の貼り合せ部７２及び延出部７３を織布３０に取り付けることができる。
【００３３】
また、本実施形態のシートベルトのバックル装置１０よれば、織布３０には、ワイヤーハーネス６０を該織布３０の幅方向一端側から他端側に通すハーネス挿通穴３０ｈが設けられているので、ワイヤーハーネス６０が織布３０内に収まり、ワイヤーハーネス６０の露出を抑えると共にワイヤーハーネス６０の保持をより確実にでき、ワイヤーハーネス６０の取り回し性を向上できる。
【００３４】
また、本実施形態のシートベルトのバックル装置１０によれば、帯状部材７０が織物からなるので、帯状部材７０の剛性を確保することができ、ワイヤーハーネス６０の保持性も向上することができる。
【００３５】
また、本実施形態のシートベルトのバックル装置１０の製造方法によれば、片側面の少なくとも一部に粘着面７０ａを有する帯状部材７０を用いる工程と、ワイヤーハーネス６０に対して帯状部材７０を巻き付けると共に、帯状部材７０の一端部と他端部の位置をずらして粘着面７０ａの一部を露出させた状態で帯状部材７０同士を貼り合わせる工程と、粘着面７０ａを織布３０の所定位置に貼り付けて帯状部材７０を織布３０に仮止めする工程と、帯状部材７０を織布３０に縫製する工程と、有し、ワイヤーハーネス６０は、帯状部材７０を介して織布３０に支持され、該織布３０の幅方向側方に沿うように配索される。したがって、帯状部材７０の仮止め工程によって縫製作業を行い易くでき、ワイヤーハーネス６０を織布３０に容易に保持させることができると共にバックル２０から車体側へのワイヤーハーネス６０の取り回しを適切に行うことができる。
【００３６】
また、縫製工程は、帯状部材７０の貼り合せ部７２及び延出部７３を織布３０に取り付けると共に、織布３０の重ね合せ部分を互いに結合する。これにより、縫製を別途行うことなく、帯状部材７０の貼り合せ部７２及び延出部７３を織布３０に取り付けることができる。
【００３７】
なお、上記実施形態では、帯状部材７０は、貼り合せ部７２及び延出部７３が織布３０の重ね合せ部分の内側に挿入される構成としているが、表面部分３３あるいは裏面部分３５の外表面上に配置されて、縫製されてもよい。
【００３８】
例えば、図６に示す変形例では、延出部７３の粘着面７０ａは、裏面部分３５の外表面上に貼り付けられて、さらに、貼り合せ部７２及び延出部７３が縫製されて、織布３０に取り付けられる。
【００３９】
この場合にも、帯状部材７０の貼り合せ部７２及び延出部７３と、織布３０の重ね合せ部分とが一緒に縫製されて、製造工程を簡素化することができる。また、この変形例の場合には、ワイヤーハーネス６０及び帯状部材７０を織布３０から分離した状態で、織布３０を各孔部１４，２６に挿入して折り返し、３重に重ね合わされた後に帯状部材７０を裏面部分３５の外表面上に貼り付けることができる。さらに、ワイヤーハーネス６０の取り回しに応じて帯状部材７０の取付け位置を選択することができる。
【００４０】
（第２実施形態）
次に、本発明の第２実施形態に係るシートベルトのバックル装置について、図７を参照して説明する。なお、図７において、第１実施形態と同一又は同等部分については、同一符号を付して説明を省略或いは簡略化する。
【００４１】
本実施形態のシートベルトのバックル装置１０では、織布３０に仮縫いが施される点において、第１実施形態のものと異なる。すなわち、図７に示すように、織布３０は、内側に折り込まれる折り込み部分３１と、バックル２０の孔部２６を通過した折り込み部分３１から連続する裏面部分３５とを重ね合わせた部分が、縫製糸４０よりもアンカープレート側において縫製糸４１によって仮縫いされている。
【００４２】
ここで、バックル装置１０では、まず、織布３０の折り込み部分３１をバックル２０の孔部２６内に挿通して、折り返し部分３２にて折り返した後、折り込み部分３１と裏面部分３５とが重ね合わされる部分で仮縫いする。このとき、帯状部材７０も仮縫いされる（図７（ｃ）参照）。そして、表面部分３３をアンカープレート１１の孔部１４内に挿通させると共に、折り返し部分３４にて折り返した後、３重に重ね合わされた部分を帯状部分７０と共に縫製糸４０にて縫製する。
【００４３】
このように仮縫いを行うことで、織布３０の全長が短い等、３重に重ね合わされた部分を一度に縫製することが困難な場合に、一度仮縫いすることで、縫製する際に重ね合わせ部分のずれを防止でき、縫製の作業性を向上できる。
その他の構成及び作用については、第１実施形態のものと同様である。
【００４４】
なお、本発明は、上記実施形態に何ら制限されるものではなく、必要に応じて適宜変更することができる。
例えば、上記実施形態においては、ワイヤーハーネス６０が織布３０のハーネス挿通穴３０ｈを挿通して該織布３０を幅方向に横断する構成としているが、図８に示す変形例のように、ワイヤーハーネス６０は、織布３０の幅方向に横断させず、織布３０の長手方向全域にわたって幅方向一側方に沿って配索される構成としてもよい。
【符号の説明】
【００４５】
１        タング
１０  バックル装置
１１    アンカープレート
１４，２６  孔部
２０        バックル
３０        織布
３０ｈ      ハーネス挿通穴
３１        折り込み部分
３３        表面部分
３５        裏面部分
４０        縫製糸
５０        回路基板
６０      ワイヤーハーネス
７０      帯状部材
７０ａ    粘着面
７１      巻き付け部
７０ｅ    一端部
７２      貼り合せ部
７３      延出部
【図１】
2020124955.tif 000003
【図２】
2020124955.tif 000004
【図３】
2020124955.tif 000005
【図４】
2020124955.tif 000006
【図５】
2020124955.tif 000007
【図６】
2020124955.tif 000008
【図７】
2020124955.tif 000009
【図８】
2020124955.tif 000010